(57)【要約】      （修正有）【課題】処理する紙葉類の品質により紙葉類を結束する帯の繰り出し量を適正に設定することができる結束装置を備えた紙葉類処理装置を提供する。【解決手段】集積装置３０の入口で紙葉類Ｐの通過検知を行い、この通過検知で紙葉類Ｐが検知されると、集積枚数が係数される。同時に、損券レベルの合計値Ｃｆｓも算出され、集積枚数が１００枚に達するまで繰り返される。算出された損券レベルの合計値Ｃｆｓを損券枚数１００枚で割って損券レベルの平均値Ｃｆａｖが算出される。算出された損券レベルの平均値Ｃｆａｖに対応した帯繰り出し量に対応するパルス数をパルステーブルから選択し帯送りパルスモータにセットし、パルス数分の帯を送る。この帯送り動作終了後、カッターソレノイドを駆動し、カッターにより帯送端をカットする。この帯を１００枚紙葉類に巻き付け、ヒータにより熱接着する。【選択図】図１
2009073526.tif 000002
【特許請求の範囲】
【請求項１】
紙葉類が一括して供給された供給部から一定の間隔で１枚ずつ取り出す取出手段と、この取出手段によって取り出された前記紙葉類を搬送する搬送手段と、この搬送手段によって搬送された前記紙葉類を判別する紙葉類判別手段と、この紙葉類判別手段による判別結果に基づいて当該紙葉類の搬送先を設定する搬送制御手段と、この搬送制御手段によって搬送先が設定された前記紙葉類を集積する集積手段と、この集積手段によって集積された紙葉類が所定枚数に達した紙葉類束を結束材で結束する結束手段と、を備えた紙葉類処理装置であって、
前記紙葉類判別手段は、
前記紙葉類の汚損の程度を正損レベルとして判別する正損判別手段を有し、
前記結束手段は、
前記集積手段によって集積された前記紙葉類束の前記正損レベルの平均値を算出する平均値算出手段と、
この平均値算出手段によって算出された正損レベルの平均値を基に前記結束材の長さを設定する長さ設定手段と、を有し、
この長さ設定手段によって設定された長さの結束材で前記紙葉類束を結束することを特徴とする紙葉類処理装置。
【請求項２】
前記結束手段は、
前記結束材を送る駆動手段と、
この駆動手段によって送られた前記結束材を切断する切断手段と、
この切断手段によって切断された結束材を折り込む折り込み手段と、
この折り込み手段によって折り込まれた結束材を熱接着する熱接着手段と、
を備え、
前記長さ設定手段による前記結束材の長さ設定に基づき、前記駆動手段が、当該結束材を前記紙葉類束の下部に送り出し、
この送り出された結束材を前記切断手段で切断し、
この切断された結束材の両端部を前記折り込み手段で当該紙葉類束の周りに折り込み、
この折り込まれた結束材の両端部を前記熱接着手段で熱接着することを特徴とする請求項１記載の紙葉類処理装置。
【発明の詳細な説明】
【技術分野】
【０００１】
本発明は、有価証券などの紙葉類を処理する紙葉類処理装置に関し、特に紙葉類の品質に応じて結束する帯の長さを制御する結束装置を備えた紙葉類処理装置に関する。
【背景技術】
【０００２】
有価証券などの紙葉類を処理する紙葉類処理装置は、処理単位に応じて一括して投入された紙葉類束（例えば、１０００枚）から取出装置によって紙葉類を１枚ずつ取出して搬送し、紙葉類判別装置によって当該紙葉類の品質（形状、損傷、など）を判別し、正常な券（以下、正券と称する。）、不良券（以下、損券と称する。）及び搬送異状券や２枚取り券などの排除券に区分して集積装置によって一次集積し、その一次集積された枚数が所定の枚数（例えば、１００枚）に達した場合には、帯などで結束して把Ｈを形成する装置である。
【０００３】
集積された１００枚の紙葉類（以下、１００枚紙葉類と称する。）Ｐｓを結束するために必要な帯（結束帯）の繰り出し量は、１００枚紙葉類Ｐｓの外側を一周して端部を重ね合わせて熱接着できる長さが必要である。従来、この帯の繰り出し量は、当該紙葉類の短手方向長さ（幅）に応じて一義的に設定していた。例えば、処理する紙葉類の種類（以下、券種と称する。）が設定されると、その紙葉類の幅×長さの標準値がわかるため、その標準値の幅の長さによって帯の繰り出し量を設定していた。
【０００４】
図９は、従来行われている帯の繰り出し量を設定する方法を示す図である。処理する券種が設定されたときの帯の繰り出し量Ｗは、標準幅をＷｓとし、１００枚紙葉類Ｐｓの標準厚さＴｓとし、熱接着部分の長さをＷｈとすると下式（１）で算出される。  
Ｗ＝Ｗｓ＋２Ｔｓ＋２Ｗｈ・・・（１）
また、上記従来の方法の改良として、紙葉類の品質のレベルが低・中・高の場合の厚さを予測し、その厚さに相当する押圧力を設定する方法が知られている（例えば、特許文献１参照。）。
【特許文献１】特開２００７−１０２３７２号公報  （第１１−１２頁、図７）
【発明の開示】
【発明が解決しようとする課題】
【０００５】
しかしながら、上述した帯の繰り出し量の設定方法では、図１０に示す課題があった。
【０００６】
図１０は、上式（１）に基づいて算出された帯を用いて１００枚紙葉類Ｐｓを結束した場合の様子を示す。
【０００７】
図１０（１）は、１００枚紙葉類Ｐｓの厚みが小さい場合である。例えば、１００枚紙葉類Ｐｓの品質が標準品質よりよい場合がこれに該当する。この場合には、帯の繰り出し量Ｗが多すぎて、帯が結束した１００枚紙葉類Ｐｓの端面からはみ出た場合を示す。
【０００８】
図１０（２）は、１００枚紙葉類Ｐｓの厚みが大きい場合である。例えば、１００枚紙葉類Ｐｓの品質が標準品質より悪い場合で、損券の場合がこれに該当する。この場合には、帯の繰り出し量Ｗが少なすぎて、帯の熱接着部分が不足した場合を示す。この場合には、帯が剥がれやすくなる。
【０００９】
また、上記特許文献記載の方法では、紙葉類の損券レベルに応じたきめ細かな設定ができないという課題があった。
【００１０】
本発明は、上記課題を解決するためになされたもので、処理する紙葉類の品質により１００枚紙葉類Ｐｓを結束する帯の繰り出し量を適正に設定することができる結束装置を備えた紙葉類処理装置を提供することを目的とする。
【課題を解決するための手段】
【００１１】
上記目的を達成するために、本発明の請求項１記載の紙葉類処理装置は、紙葉類が一括して供給された供給部から一定の間隔で１枚ずつ取り出す取出手段と、この取出手段によって取り出された前記紙葉類を搬送する搬送手段と、この搬送手段によって搬送された前記紙葉類を判別する紙葉類判別手段と、この紙葉類判別手段による判別結果に基づいて当該紙葉類の搬送先を設定する搬送制御手段と、この搬送制御手段によって搬送先が設定された前記紙葉類を集積する集積手段と、この集積手段によって集積された紙葉類が所定枚数に達した紙葉類束を結束材で結束する結束手段と、を備えた紙葉類処理装置であって、前記紙葉類判別手段は、前記紙葉類の汚損の程度を正損レベルとして判別する正損判別手段を有し、前記結束手段は、前記集積手段によって集積された前記紙葉類束の前記正損レベルの平均値を算出する平均値算出手段と、この平均値算出手段によって算出された正損レベルの平均値を基に前記結束材の長さを設定する長さ設定手段と、を有し、この長さ設定手段によって設定された長さの結束材で前記紙葉類束を結束することを特徴とする。
【発明の効果】
【００１２】
本発明によれば、処理する紙葉類の品質によって１００枚紙葉類Ｐｓを結束する帯の繰り出し量を適正に設定するため帯の長すぎ、短すぎなどの結束不良を防止できる。
【発明を実施するための最良の形態】
【００１３】
以下、図面を参照して本発明の実施例を説明する。
【実施例１】
【００１４】
図１は、本発明の実施例１に係る結束装置（結束手段）を搭載した紙葉類処理装置１の概略構成図である。紙葉類処理装置１は、有価証券などの紙葉類Ｐの真偽（真券か偽券か）又は正損（再流通可能な正券か再流通不可能な損券か）を判別し、正券は集積装置３０に集積し、損券は集積装置３１に集積し、判別不能券は排除券集積装置３３に集積するする。このようにして集積された正券又は損券は、各集積装置の下部に配置された結束装置４０又は４１で結束される。なお、２枚取り券又はスキューなどの搬送異常券は、排除券集積庫３４に集積される。
【００１５】
紙葉類処理装置１には、集積された紙葉類Ｐを一括して供給する供給部１０が設けられている。この供給部１０に集積された紙葉類Ｐは、取出ロータ（取出手段）１０Ａによって一定間隔で１枚ずつ取り出され、搬送路（搬送手段）２０によって搬送される。
【００１６】
このようにして、取り出しロータ１０Ａによって供給部１０から取り出された紙葉類Ｐは、紙葉類判別装置（紙葉類判別手段）５０によって判別される。紙葉類判別装置５０は、紙葉類Ｐの物理的特性を検知して判別するもので、複数の装置で構成されており、搬送方向下流に向かって搬送路２０に設けられている。また、これら紙葉類判別装置５０の判別結果に基づいて正券と判別された紙葉類Ｐを集積する集積装置３０、損券と判別された紙葉類Ｐを集積する集積装置３１及び偽券又は排除券を集積する排除券集積装置３３が設けられている。
【００１７】
取出検知部５１は、供給部１０から取り出された紙葉類Ｐの取り出し状態を検知し検知結果を搬送制御部２に送信する。この取り出し状態の検知結果が、例えば、２枚取りなどの複数枚取り出し、搬送ピッチ詰まりなどの搬送異常の場合は、搬送方向下流に搬送して処理する振分ゲートで振り分けられないなどの障害が発生しやすいため、搬送異常を搬送制御部２に送信するものである。
【００１８】
搬送制御部２は、この搬送異常を受信した場合には、当該紙葉類Ｐの搬送方向を振り分ける振分ゲートＧ４０を回動することにより、当該紙葉類Ｐを搬送路２１に沿って搬送させ排除券集積庫３４に集積する。なお、この排除券集積庫３４に集積された排除券は再供給することが可能である。
【００１９】
排除券集積装置３３は、紙葉類判別装置５０によって排除された紙葉類Ｐを集積するもので、集積羽根車３３Ａ、一時集積庫３３Ｂを備えており、搬送路２６に沿って搬送されてきた紙葉類Ｐを集積羽根車３３Ａで受け取り、一時集積個３３Ｂに集積する。
【００２０】
上記紙葉類判別装置５０の判別の結果、正券は集積装置（集積手段）３０の一時集積個３０Ｂに集積され、損券は集積装置（集積手段）３１の一時集積個３１Ｂに集積される。正券と損券の区分は、搬送される紙葉類Ｐの汚損の程度を紙葉類判別装置５０で判別する。その判別の結果、当該紙葉類Ｐの汚損の程度を示すレベル（このレベルのことを正損レベルと称する。）が付与される。
【００２１】
紙葉類処理装置１は、この正損レベルに対する正損判別レベルを設定することができ、例えば、正損判別レベルが１０段階中の５に設定されている場合、搬送された紙葉類Ｐの正損レベルが５以上の場合は正券と判別し、５未満の場合は損券と判別する。従って、正券であっても損券であっても、それに含まれる紙葉類Ｐは全て正損レベルが付与される。
【００２２】
集積装置３０又は３１では、上記紙葉類判別装置５０の判別の結果、紙葉類Ｐが所定の枚数（例えば、１００枚）に達するまでは、一時集積個３０Ｂ又は３１Ｂに集積される。このようにして集積された紙葉類Ｐの枚数が１００枚（１００枚紙葉類）に到達すると、集積装置３０又は３１の下部に配置された結束装置に渡される。結束装置４０又は４１は、当該１００枚紙葉類Ｐｓを結束帯としての帯で結束して把Ｈを形成する。
【００２３】
このようにして結束された把Ｈは、下部に排出された把Ｈをコンベア７０で把搬送し、１０把結束装置８０に渡す。
【００２４】
１０把結束装置８０は、コンベア７０によって搬送された把Ｈを１０把になるまで積層し、１０把ごとに、さらに結束して束（図示しない）を形成する。
【００２５】
このようにして形成された束は、装置外に排出される。
【００２６】
図２は、図１に示す本発明の集積装置及び結束装置の動作を説明するブロック図である。
【００２７】
搬送される紙葉類Ｐは紙葉類判別装置５０によって判別される。その判別結果は搬送制御部２に送信される。
【００２８】
搬送制御部２は、その判別結果を集積・結束制御部４０Ａに送信すると共に、当該搬送される紙葉類Ｐの搬送先を決定し、その搬送路２０に配置された分岐ゲートＧ３０又はＧ３１を制御し集積装置３０又は３１に集積する。以下、集積装置３０に集積された１００枚紙葉類Ｐｓが結束装置４０で結束される場合を例に示す。なお、集積装置３１に集積された１００枚紙葉類Ｐｓが結束装置４１で結束される場合も同様である。
【００２９】
集積・結束制御部４０Ａは、紙葉類集積装置３０に集積された紙葉類Ｐの枚数が所定枚数１００枚（１００枚紙葉類）に達すると、この１００枚紙葉類Ｐｓを、下部に配置された結束装置４０に引渡す。
【００３０】
結束装置４０は、帯送りパルスモータ４０Ｂ、カッターソレノイド４０Ｃ、カッター４０Ｄ、ヒータ駆動モータ４０Ｅ、ヒータ４０Ｆ１、シャッター駆動モータ４０Ｇ、シャッター４０Ｈ、押込板駆動モータ４０Ｇ、押込板４０Ｊ及び受板４０Ｋなどで構成される。このように構成された結束装置４０が後述する動作を行うことにより当該１００枚紙葉類Ｐｓが結束されて把Ｈが形成される。
【００３１】
図３は、集積装置３０及び結束装置４０の動作を説明する集積・結束処理フローチャートである。なお、集積装置３１及び結束装置４１における動作も図３に示すフローチャート同様であるため、その説明を省略する。
【００３２】
初めに、集積装置３０の入口で紙葉類Ｐの通過検知を行う（Ｓ１）。この通過検知の結果、紙葉類が無い場合には（Ｓ１のＮｏ）、紙葉類Ｐが通過するまで監視する。この通過検知で紙葉類Ｐが検知された場合（Ｓ１のＹｅｓ）、集積枚数（通過枚数）がカウントアップ（係数）される（Ｓ２）。
【００３３】
同時に、損券レベルの合計値が算出される。例えば集積枚数がｎ枚目である紙葉類Ｐの損券レベルをＣｆｎとするとき、それまでの損券レベルの合計値Ｃｆｓは、下式（２）によって算出される。なお、この損券レベルの合計値Ｃｆｓは、集積又は結束の単位である１００枚紙葉類Ｐｓに付いて算出する。  
Ｃｆｓ←Ｃｆｓ＋Ｃｆｎ・・・・・・・・（２）
Ｃｆｓ：損券レベルの合計値
Ｃｆｎ：集積枚数がｎ枚目の損券レベル
次に、集積枚数が１００枚に達したか確認する（Ｓ４）。
【００３４】
このＳ４の確認の結果、１００枚に達していない場合には（Ｓ４のＮｏ）、Ｓ１に戻って、集積枚数が１００枚に達するまで集積枚数のカウント及び損券レベルの加算を継続する。
【００３５】
Ｓ４の確認の結果、１００枚に到達した場合には（Ｓ４のＹｅｓ）、上式（２）で算出した損券レベルの合計値Ｃｆｓを集積枚数（１００枚）で割って下式（３）で示す損券レベルの平均値Ｃｆａｖを算出する（Ｓ５）。  
Ｃｆａｖ←Ｃｆｓ／１００・・・・・・・・（３）
Ｃｆａｖ：損券レベルの平均値
Ｃｆｓ：損券レベルの合計値
【００３６】
次に、集積・結束制御部４０Ａは、算出した損券レベルの平均値Ｃｆａｖを引数としてサブルーチン処理である結束処理に移行する（Ｓ６）。サブルーチン処理である結束処理（Ｓ７）の詳細は図４に示す。
【００３７】
図４（１）は、サブルーチン処理である結束処理の動作を示すフローチャートである。図４（２）は、帯送りパルステーブルを示す。図５〜図８は結束処理の動作を説明するための模式図である。図５は、紙葉類Ｐが集積される前の状態を示す。この状態の集積庫３０Ｂに紙葉類Ｐが集積されて１００枚紙葉類Ｐｓになる。以下、図５〜図８も参照しながら説明する。
【００３８】
初めに、１００枚集積を行う（図６参照）。この１００枚集積した時点で、上述した損券レベル平均値Ｃｆａｖに対応した帯繰り出し量のパルステーブルを選択する（Ｓ１０、図４（２）参照）。
【００３９】
次に、このパルステーブルから選択したパルス数を帯送りパルスモータ４０Ｂにセットし、帯送りパルスモータ４０Ｂを駆動し、パルス数分の帯Ｋを送る。この帯送り動作終了後、カッターソレノイド４０Ｃを駆動し、カッター４０Ｄにより帯送端をカットする（Ｓ１１、図７参照））。
【００４０】
次に、シャッター駆動モータ４０Ｇを駆動し、集積装置３０底部のシャッター４０Ｈを開き、押込板駆動モータ４０Ｉを駆動し、押込板４０Ｊにより１００枚紙葉類Ｐｓを受板４０Ｋに押し付ける（Ｓ１２、図７参照）。
【００４１】
次に、ヒータ駆動モータ４０Ｅを駆動し、ヒータ４０Ｆ１を熱接着位置まで移動する。この移動の際、折込板４０Ｆ２もヒータ駆動モータ４０Ｅに連動して駆動される。
【００４２】
折込板４０Ｆ２は、受板４０Ｋの量端部に設けられた支点を軸に回動可能に配置され、ヒータ駆動モータ４０Ｅに連動して動作し、帯Ｋを１００枚紙葉類Ｐｓの外周に沿って折り込む。この折り込みによって帯Ｋの両端は１００枚紙葉類Ｐｓの上面で折り重なり、１回巻きの状態になる。このようにして１００枚紙葉類Ｐｓの周囲に巻き付けられた帯Ｋにヒータ４０Ｆ１を押し付けて帯Ｋの熱接着を行う（Ｓ１３、図８参照）。
【００４３】
次に、ヒータ駆動モータを駆動してヒータ４０Ｆ１を引き込み熱接着されて形成された把Ｈを排出する。
【００４４】
以上説明したように本実施例によれば、結束する１００枚紙葉類Ｐｓの品質の程度により、例えば、１００枚紙葉類Ｐｓの品質が悪い場合には、上述した損券レベルの平均値Ｃｆａｖが低い値になり、１００枚紙葉類Ｐｓの厚さが厚くなる。この場合には、帯Ｋの長さが長くなるようにカットされたものが使用される。一方、１００枚紙葉類Ｐｓの品質が良い場合には、上述した損券レベルの平均値Ｃｆａｖが高い値になり、１００枚紙葉類Ｐｓの厚さが薄くなる。この場合には、帯Ｋの長さが短くなるようにカットされたものが使用される。
【図面の簡単な説明】
【００４５】
【図１】本発明の実施例１に係る結束装置を搭載した紙葉類処理装置１の概略構成図。
【図２】図１に示す本発明の集積装置及び結束装置の動作を説明するブロック図。
【図３】図１に示す集積装置及び結束装置４０の動作を説明する集積・結束処理フローチャート。
【図４】結束処理フローチャート。
【図５】集積装置及び結束装置の動作を説明する模式図―１（集積前）。
【図６】集積装置及び結束装置の動作を説明する模式図―２（１００枚紙葉類）。
【図７】集積装置及び結束装置の動作を説明する模式図―３（１００枚紙葉類の湾曲）。
【図８】集積装置及び結束装置の動作を説明する模式図―４（１００枚紙葉類熱接着）。
【図９】従来行われている帯の繰り出し量を設定する方法を示す図。
【図１０】図９に基づいて算出された帯を用いて１００枚紙葉類を結束した場合の様子を示す図。
【符号の説明】
【００４６】
Ｈ  把
Ｐ  紙葉類
１  紙葉類処理装置
２  搬送制御部
Ｇ４０  振分けゲート
１０  供給部
１０ａ  取出ロータ
２０、２１  搬送路
３０、３１  集積装置
３０Ｂ、３１Ｂ  一時集積庫
３３  排除券集積装置
３４  排除券集積庫
４０、４１  結束装置
４０Ａ  集積・結束制御部
４０Ｂ  帯送りパルスモータ
４０Ｃ  カッターソレノイド
４０Ｅ  ヒータ駆動モータ
４０Ｇ  シャッター駆動モータ
４０Ｉ  押込板駆動モータ
４０Ｋ  受板
５０  紙葉類判別装置
７０  コンベア
８０  把結束装置
【図１】
2009073526.tif 000003
【図２】
2009073526.tif 000004
【図３】
2009073526.tif 000005
【図４】
2009073526.tif 000006
【図５】
2009073526.tif 000007
【図６】
2009073526.tif 000008
【図７】
2009073526.tif 000009
【図８】
2009073526.tif 000010
【図９】
2009073526.tif 000011
【図１０】
2009073526.tif 000012